(57)【要約】【課題】本発明は、用紙詰まりやトナー補給等の操作が必要になった場合、印刷装置に大きな容量が必要な動画データを記憶しておくメモリを準備することなく、印刷装置のメンテナンス動画を表示することができる印刷装置の操作手順表示方法を提供するものである。【解決手段】ホスト機器は印刷装置の操作手順の動画データを記憶し、印刷装置の状態情報をモニタするプログラムを含むプリンタドライバを有し、印刷装置から供給された印刷装置の状態情報に基づいて操作手順を示す動画データを上記記憶手段から読み出し、印刷装置に送信し、印刷装置の液晶表示部に送信された動画情報を表示させることによって、動画データを記憶しない印刷装置であっても対応するメンテナンスや消耗品の交換操作手順を印刷装置に動画表示できる構成である。【選択図】  図１
2009096069.tif 000002
【特許請求の範囲】
【請求項１】
ホスト機器に接続された印刷装置であって、
印刷データに基づいて、記録媒体に印刷処理を行う印刷処理手段と、
自己の印刷装置の状態を前記ホスト機器に通知する通知手段と、
該通知に基づいて前記ホスト機器から供給された、前記自己の印刷装置の状態に対応する装置の操作手順の動画データを受信する受信手段と、
該動画データを表示する表示手段と、
を有することを特徴とする印刷装置。
【請求項２】
印刷装置に接続されたホスト機器であって、
前記印刷装置の状態に従った印刷装置の操作手順の動画データを記憶する記憶手段と、
前記印刷装置の状態情報をモニタするプログラムを含むプリンタドライバと、
前記印刷装置から該印刷装置の状態情報が通知された際、前記モニタプログラムに従って前記記憶手段から対応する前記印刷装置の操作手順の動画データを読み出し、前記印刷装置の表示部に該動画データを表示させるべく、該動画データを前記印刷装置に送信する送信手段と、
を有することを特徴とするホスト機器。
【請求項３】
前記印刷装置の状態情報の通知は、前述ホスト機器からの指示に基づいて行われることを特徴とする請求項１記載の印刷装置。
【請求項４】
前記印刷装置の状態情報の通知は、前述ホスト機器からの指示に基づいて行われることを特徴とする請求項２記載のホスト機器。
【請求項５】
印刷装置と該印刷装置にネットワークを介して接続されたホスト機器とを有する印刷システムに使用される印刷装置の操作順序表示方法であって、
前記ホスト機器は前記印刷装置の操作手順の動画データを記憶する記憶手段と、前記印刷装置の状態情報をモニタするプログラムを含むプリンタドライバを有し、
前記印刷装置は、自己の装置状態の情報を前記ホスト機器に通知する処理と、
該状態情報に基づいて、前記ホスト機器は前記印刷装置の操作手順を示す動画データを前記記憶手段から検索し、前記印刷装置に送信する処理と、
前記印刷装置の表示部に送信された動画情報を表示する表示処理と、
を行うことを特徴とする印刷装置の操作手順表示方法。
【発明の詳細な説明】
【技術分野】
【０００１】
本発明はプリンタ装置等の印刷装置に係り、特に用紙詰まりやトナー補給等の処理が必要になった場合の操作手順を動画で表示する印刷装置及び印刷装置に接続されたホスト機器に関する。
【背景技術】
【０００２】
インクジェットプリンタや電子写真方式のプリンタ装置等の印刷装置は、搬送路に沿って記録媒体を搬送し、記録媒体にインクを吐出し、又はトナーを感光体ドラムやベルトを介して転写し、記録媒体に画像を記録する。このような印刷装置において、記録媒体の補給やインク又はトナーの補給、更には記録媒体が搬送路上で詰まった場合のメンテナンス等の作業は必要不可欠なものである。
【０００３】
特許文献１、及び特許文献２はこのような作業を容易に行うため、メンテナンスの操作手順をガイダンス表示する発明である。例えば、特許文献１は一連操作手順をガイダンス表示する際、一連の操作手順の全体像をユーザが把握できるように表示する発明である。また、特許文献２は、メンテナンスの一連の操作手順を示す動画データを印刷装置内のグラフィックＲＯＭに記憶し、対応する操作が必要になった時、動画データを表示部に表示する発明である。
【特許文献１】特開２００６−２４３１６０号公報
【特許文献２】特開２０００−１５５５０７号公報
【発明の開示】
【発明が解決しようとする課題】
【０００４】
従来の印刷装置では表示部に表示する動画データは、印刷装置内の、例えばグラフィックＲＯＭに記憶する動画データである。しかしながら、この動画データの容量は大きなものであり、例えば表示部のサイズが１６０ドット（横）×１２８ドット（縦）、１ドットが２ビット構成（４階調）である場合、１画面（１フレーム）のデータ量は、約５Ｋバイト（１６０×１２８×２／８＝５，１２０バイト）となる。さらに、１秒間に２０フレームの画面を使用し、５秒間の動画を表示する為には、５００ＫＢ（５（ＫＢ）×５（秒）×２０（フレーム））のデータ容量が必要であり、この様な動画データを、例えば１０パターン記憶すれば５ＭＢのメモリが必要となる。
このため、従来の表示方法では大きな容量のメモリを備えた印刷装置が必要である。一方、圧縮技術を使用して１秒間のフレーム数を減らすことも考えられるが、動画品質が低下する。
【０００５】
そこで、本発明は印刷装置に大きな容量のメモリを必要とすることなく、印刷装置のメンテナンスや消耗品の交換作業を動画表示することができる印刷装置、及び印刷装置に接続されたホスト機器を提供するものである。
【課題を解決するための手段】
【０００６】
上記課題は第１の発明によれば、ホスト機器に接続された印刷装置であって、印刷データに基づいて、記録媒体に印刷処理を行う印刷処理手段と、自己の印刷装置の状態情報を前記ホスト機器に通知する通知手段と、該通知に基づいて前記ホスト機器から供給された、前記自己の印刷装置の状態に対応する印刷装置の操作手順の動画データを受信する受信手段と、該動画データを表示する表示手段とを有する印刷装置を提供することによって達成できる。
【０００７】
上記課題は第２の発明によれば、印刷装置に接続されたホスト機器であって、前記印刷装置の状態に従った印刷装置の操作手順の動画データを記憶する記憶手段と、前記印刷装置の状態情報をモニタするプログラムを含むプリンタドライバと、前記印刷装置から該印刷装置の状態情報が通知された際、前記モニタプログラムに従って前記記憶手段から対応する前記印刷装置の操作手順の動画データを読み出し、前記印刷装置の表示部に該動画データを表示させるべく、該動画データを前記印刷装置に送信する送信手段とを有するホスト機器を提供することによって達成できる。
【０００８】
上記課題は第３の発明によれば、前記印刷装置の状態情報の通知は、前述ホスト機器からの指示に基づいて行われる印刷装置を提供することによって達成できる。
【０００９】
上記課題は第４の発明によれば、前記印刷装置の状態情報の通知は、前述ホスト機器からの指示に基づいて行われるホスト機器を提供することによって達成できる。
上記課題は第５の発明によれば、印刷装置と該印刷装置にネットワークを介して接続されたホスト機器とを有する印刷システムに使用される印刷装置の操作順序表示方法であって、前記ホスト機器は前記印刷装置の操作手順の動画データを記憶する記憶手段と、前記印刷装置の状態情報をモニタするプログラムを含むプリンタドライバを有し、前記印刷装置は、自己の装置状態の情報を前記ホスト機器に通知する処理と、該状態情報に基づいて、前記ホスト機器は前記印刷装置の操作手順を示す動画データを前記記憶手段から検索し、前記印刷装置に送信する処理と、前記印刷装置の表示部に送信された動画情報を表示する表示処理とを行う印刷装置の操作手順表示方法を提供することによって達成できる。
【発明の効果】
【００１０】
本発明によれば、印刷装置のメンテナンスや消耗品の交換作業が必要な場合、印刷装置に動画データを記憶しない場合でも、印刷装置の表示部に操作手順がビジュアルに表示されるので、メンテナンスや消耗品の交換作業を容易、かつ正確に行うことができる。
【発明を実施するための最良の形態】
【００１１】
以下、本発明の実施の形態を図面を参照しながら説明する。
【００１２】
図２は、本実施形態に使用する印刷装置をネットワークを介してホスト機器であるパーソナルコンピュータ（ＰＣ）に接続した全体システム図である。同図において、印刷装置であるプリンタ装置１はＵＳＢ（universal serial bus）を介してパーソナルコンピュータ（ＰＣ１）に接続され、更にＬＡＮ（local area network）を介してパーソナルコンピュータ（ＰＣ２〜４）に接続されている。また、パーソナルコンピュータ（ＰＣ１〜４）には予めプリンタ装置１のプリンタドライバがインストールされ、アプリケーションに従って作成された印刷データをプリンタ装置１に対応したコマンドに変換することができる。
【００１３】
また、各パーソナルコンピュータ（ＰＣ１〜４）には、モニタプログラムも予めインストールされている。このモニタプログラムは、プリンタ装置１の状態を表示するためのプログラムであり、各色のトナー残量や感光体ドラムの寿命等のプリンタ装置１の状態を表示する際駆動される。
【００１４】
また、各パーソナルコンピュータ（ＰＣ１〜４）には、プリンタ装置１のメンテナンスや消耗品の補給を行う際、プリンタ装置１の表示部（後述する操作パネル）に操作順序を表示するための動画データ記憶部５を有する。この動画データ記憶部５に記憶される動画データは全て同じデータであり、メンテナンスや消耗品の補給動作の表示が必要な、例えば１０パターン程度の動画データが予め記憶されている。上記モニタプログラムは、後述するプリンタ装置１からの情報に基づいて、動画データ記憶部５から必要な動画データを検索する機能を有する。
【００１５】
図１は上記プリンタ装置１の内部構成を説明する図である。同図において、プリンタ装置１はインターフェイス（Ｉ／Ｆ）コントローラ２、エンジン部３、及び操作パネル４で構成され、Ｉ／Ｆコントローラ２はパーソナルコンピュータ（ＰＣ）から供給される印刷データのコマンド解析を行い、印刷データをビットマップデータ等の画像データに変換し、エンジン部３に送信する。
【００１６】
操作パネル４はグラフィック表示可能なＬＣＤ（liquid crystal display）で構成され、本例で使用するＬＣＤのサイズは、例えば１６０ドット（横）×１２８ドット（縦）であり、１ドットは２ビット構成（４階調）である。したがって、本例の場合、１画面のデータ量は、約５Ｋバイト（１６０×１２８×２／８＝５，１２０バイト）である。
【００１７】
また、エンジン部３はエンジンコントローラ６、ヘッドコントローラ７等で構成され、エンジンコントローラ６は不図示の感光体ドラムや用紙搬送ローラ等を回転駆動させるモータ８や、不図示の帯電ユニットや転写ユニットに高電圧を印加する高圧ユニット９を制御する。
【００１８】
また、エンジンコントローラ６には、多数のセンサから各種検知信号が入力する。例えば、フロントドアセンサ１０からフロントドア（正面ドア）の開閉を検知する検知信号が供給され、ライトドアセンサ１１からライトドア（右側面ドア）の開閉を検知する検知信号が供給され、トナー有無センサ１２から各色のトナー容器に収納されたトナー残量を示す信号が供給される。また、ＴＣ（トナーカートリッジ）有無センサ１３からＴＣ（トナーカートリッジ）の着脱状態を検知する検知信号が供給され、カセット紙有無センサ１４から給紙部にセットされるカセット内の用紙の有無を示す信号が供給され、排紙センサ１５から排紙トレイに排出される用紙を検知する検知信号が供給される。
【００１９】
ヘッドコントローラ７はＩ／Ｆコントローラ２から出力される前述の画像データを、内蔵するバッファを介してＬＥＤヘッド１６に供給する。この時、ヘッドコントローラ７は、エンジンコントローラ６の制御に従って画像データをＬＥＤヘッド１６に供給する。
図３は上記構成のプリンタ装置１内のＩ／Ｆコントローラ２の具体的な構成を説明する図である。Ｉ／Ｆコントローラ２はＣＰＵ２０、ＳＤＲＡＭ（synchronous DRAM）２１、フラッシュメモリ２２、ハードディスク（ＨＤ）２３、ＡＳＩＣ（application specific integrated circuit）２４で構成され、前述の操作パネル４はシリアルバスを介してＣＰＵ２０に接続されている。
【００２０】
また、前述のように、パーソナルコンピュータ（ＰＣ１）はＵＳＢを介してＣＰＵ２０に接続され、パーソナルコンピュータ（ＰＣ２〜４）はＬＡＮＰＨＹ（physical sublayer）を介して接続されている。
【００２１】
本例では、１２８ＭＢの容量を有するＳＤＲＡＭ２１を使用し、８ＭＢのフラッシュメモリ２２を使用する。上記容量は、パーソナルコンピュータ（ＰＣ）から送信される動画の容量に対応するものであり、例えば５秒間送信される動画の場合、５（ＫＢ）×５（秒）×２０（フレーム）であり、上記例の場合全体の動画データの容量は５００（ＫＢ）である為、ＳＤＲＡＭ２１の容量が１２８ＭＢであれば充分である。尚、プリンタ装置１の受信速度はＬＡＮの場合でも、ＵＳＢの場合でも、１ＭＢ／秒であるので、５００ＫＢの動画データであれば０．５秒で受信可能である。
【００２２】
以上の構成において、以下に本例の処理動作を説明する。
図４は本例の処理動作を説明するフローチャートであり、パーソナルコンピュータ（ＰＣ）側のモニタプログラムの処理を説明するものである。尚、このフローチャートは、モニタプログラムが搭載されたパーソナルコンピュータ（ＰＣ１〜４）の全てに適用可能である。
【００２３】
先ず、ＵＳＢ接続であるか判断する（ステップ（以下、Ｓで示す）１）。ここで、パーソナルコンピュータ（ＰＣ）にモニタプログラムがインストールされた際、各パーソナルコンピュータ（ＰＣ１〜４）は自己がプリンタ装置１とＵＳＢによって接続されているか否か確認しており、ＵＳＢ接続の場合（Ｓ１がＹＥＳ）、１０秒タイマがタイムアップしたか判断する（Ｓ２）。尚、パーソナルコンピュータ（ＰＣ）がＬＡＮで接続されている場合の処理（Ｓ１がＮＯ）については、後述する。
【００２４】
ＵＳＢ接続の場合、パーソナルコンピュータ（ＰＣ１）の問い合わせに対してプリンタ装置１側が状態を通知するプロトコルであり、ＬＡＮ接続の場合と異なり、比較的短い間隔でタイマを起動し、タイマのタイムアップを判断する。
【００２５】
ここで、タイマがタイムアップしていなければ（Ｓ２がＮＯ）、同じ処理を繰り返す。一方、タイマがタイムアップすると（Ｓ２がＹＥＳ）、プリンタ装置１に対して自己の装置状態の問い合わせを行う（Ｓ３）。すなわち、ＵＳＢ接続の場合プリンタ装置１に対して状態情報を送信するよう指示を行う。
【００２６】
この問い合わせに対してプリンタ装置１から装置の状態について通知があると（Ｓ４）、プリンタ装置１の状態をパーソナルコンピュータ（ＰＣ１）のモニタに表示する（Ｓ５）。図５はこの表示状態を示し、例えばプリンタ装置１の状態はａ部に表示される。この場合、例えば「印刷できます」、「用紙が詰まりました」、「○○色のトナーが無くなりました」等の表示を行う。
【００２７】
尚、同図に示すように、モニタ画面には各色のトナー残量や感光体ドラムの寿命等もビジュアルに表示される。
【００２８】
ここで、プリンタ装置１の状態が、「用紙が詰まりました」、「ＴＣ（トナーカートリッジ）を交換してください」等のメンテナンスや消耗品の交換表示である場合、動画送信要求有りと判断し（Ｓ６がＹＥＳ）、エラー状態に対応した動画データを選択し（Ｓ７）、選択した動画データをプリンタ装置１に送信する（Ｓ８）。すなわち、モニタプログラムに従って、前述の動画データ記憶部５を検索し、対応する動画データを読み出す。
尚、「印刷できます」等のメンテナンスや、消耗品の交換表示ではない場合（Ｓ６がＮＯ）、最初の処理に戻る。
【００２９】
一方、図６はプリンタ装置１側の処理を説明するフローチャートであり、前述と同様ＵＳＢ接続の判断を行った後（ステップ（以下、ＳＴで示す）１）、ＵＳＢ接続である場合（ＳＴ１がＹＥＳ）、パーソナルコンピュータ（ＰＣ１）からの問い合わせがあるか判断し（ＳＴ２）、前述の処理（Ｓ３）において、パーソナルコンピュータ（ＰＣ１）からプリンタ装置１の状態問い合わせがあると（ＳＴ２がＹＥＳ）、プリンタ装置１の状態をパーソナルコンピュータ（ＰＣ１）に通知する（ＳＴ３）。
【００３０】
この情報によって、パーソナルコンピュータ（ＰＣ１）はモニタ画面に前述の各種表示を行う。また、動画データを要求するパーソナルコンピュータとして、本例の場合（ＰＣ１）に動画データの要求を行う（ＳＴ４）。尚、この要求は上記状態情報がメンテナンスや消耗品の交換を要求する情報であれば、自動的に対応するコマンドを含める構成としてもよい。
【００３１】
上記処理の結果、前述の処理（Ｓ８）によって動画データが供給されると、動画データを一括受信し（ＳＴ５）、前述の各種センサからの検知信号に対応して動画データを表示する（ＳＴ６）。
【００３２】
図７は、この動画データの表示処理を具体的に説明するフローチャートである。尚、この動画データは、プリンタ装置１からトナー無し状態の応答を行った場合における動画データの表示である。
【００３３】
図８（ａ）〜（ｄ）は、先ずプリンタ装置１の正面扉を開ける様子を動画表示するものであり、図８では４枚の静止画像として示しているが、２秒間に例えば４０フレームの表示を行い、動画として認識できる画像表示を行うものである。具体的には、先ず図８（ａ）に示すようにプリンタ装置１の立体画像が表示され、以後プリンタ装置１の正面扉が序々に手前に開く表示が行われ、最後に同図（ｄ）に示すようにプリンタ装置１の正面扉が完全に開放された状態まで変化する。この表示は、前述のフロントドアセンサ１０が、正面扉の閉状態を検出している限り継続して表示される（ＳＴ８がＹＥＳ、ＳＴ７）。尚、図８（ａ）〜（ｄ）に示すように、動画像を表示中、メンテンス又は交換情報が文字表示される。
【００３４】
次に、ユーザがＴＣ（トナーカートリッジ）の交換を行う為正面扉を開放すると、ライトドアセンサ１１は検知信号を前述のエンジンコントローラ６に出力し、エンジンコントローラ６は正面扉の開放が行われたものと判断し（ＳＴ８がＮＯ）、次のＴＣ（トナーカートリッジ）を引き出す様子を示す動画表示に移る（ＳＴ９）。
【００３５】
図９（ａ）〜（ｅ）は、ＴＣ（トナーカートリッジ）を交換する際の様子を示す動画像である。この場合も前述と同様、図９では５枚の静止画像として示しているが、例えば３秒間に６０フレームが表示され、動画として認識できる表示が行われる。具体的には、図９（ａ）に示すようにプリンタ装置１の正面扉が開放された状態から、ＴＣ（トナーカートリッジ）のロックが解除され、ＴＣ（トナーカートリッジ）を序々に手前に抜き出し、最後に同図（ｅ）に示すようにＴＣ（トナーカートリッジ）を完全に抜き取った状態まで変化する。この表示も、前述の有無センサ１３がＴＣ（トナーカートリッジ）の存在を検出している限り継続して行われる（ＳＴ１０がＹＥＳ、ＳＴ９）。
【００３６】
その後、ユーザがＴＣ（トナーカートリッジ）を抜き出すと、有無センサ１３は当該検知信号を前述のエンジンコントローラ６に出力し、エンジンコントローラ６はＴＣの抜き出し処理が行われたものと判断する。
【００３７】
次に、プリンタ装置１には前述の図９に示す表示と逆の順序で動画表示が行われる。すなわち、図９（ｅ）に示すようにＴＣ（トナーカートリッジ）を完全に抜き取った状態から表示を開始し、ＴＣ（トナーカートリッジ）を序々に挿入し、ＴＣ（トナーカートリッジ）のロックを行い、最後に同図（ａ）に示すように、完全にＴＣ（トナーカートリッジ）がプリンタ装置１に装着された状態となる（ＳＴ１１）。尚、このときの表示文字は、「新しいイエローＴＣをセットして下さい」である。
【００３８】
この表示も、前述の有無センサ１３がＴＣ（トナーカートリッジ）の存在を検出するまで継続し（ＳＴ１２がＮＯ、ＳＴ１１）、ユーザがＴＣ（トナーカートリッジ）の装着を行うと、次の正面扉を閉じる動画に変わる（ＳＴ１２がＹＥＳ、ＳＴ１３）。
【００３９】
同様に正面扉を閉じる処理についても、図８に示す表示と逆の順序で動画表示が行われ、図８（ｄ）に示すように正面扉が完全に開放された状態が先ず表示され、次に序々に正面扉が閉じてゆき、最後に同図（ａ）に示すように、完全に正面扉が閉じた状態となる表示が繰り返される（ＳＴ１４がＮＯ、ＳＴ１３）。その後、フロントドアセンサ１０から検知信号がエンジンコントローラ６に出力されると、上記動画表示が終了する（ＳＴ１４がＹＥＳ）。尚、このときの表示文字は、「正面扉を閉じて下さい」である。
【００４０】
一方、ＬＡＮ接続されたパーソナルコンピュータ（ＰＣ２〜４）の場合には、以下のようになる。すなわち、前述の図４のフローチャートにおいて、ＵＳＢ接続の判断（Ｓ１）がＮＯとなり、プリンタ装置１から状態通知が有るか判断する（Ｓ９）。ＬＡＮ接続の場合、例えばＳＮＭＰ(simple network management protocol)プロトコルを使用し、プリンタ装置１からの自主的な状態通知の送信が可能であり、この送信が有るか判断する。また、この送信が無い場合でも（Ｓ９がＮＯ）、例えば１分タイマを起動し、このタイマがタイムアップ毎にプリンタ装置１への問い合わせを行うことができる（Ｓ１０）。
【００４１】
ここで、前述の自主的な状態通知の送信が、プリンタ装置１から行われた場合（Ｓ９がＹＥＳ）、前述の処理（Ｓ５）に従って、プリンタ装置１の状態をパーソナルコンピュータ（例えば、ＰＣ２）のモニタに表示する（Ｓ５）。この表示は前述の図５に示す表示であり、例えば「印刷できます」、「用紙が詰まりました」、「○○色のトナーが無くなりました」等の表示を行う。一方、１分タイマのタイムアップに基づく問い合わせに対して、プリンタ装置１から応答があった場合にも同様に、プリンタ装置１の状態をパーソナルコンピュータ（例えば、ＰＣ２）のモニタに表示する（Ｓ３〜Ｓ５）。そして、動画データの配信要求を判断し、必要な動画データをプリンタ装置１に送信する（Ｓ６〜Ｓ８）。
【００４２】
また、プリンタ装置１側でも、ＬＡＮによって接続されたパーソナルコンピュータ（ＰＣ２〜４）の場合、図６に示すＵＳＢ接続の判断（ＳＴ１）がＮＯとなり、プリンタ装置１に状態変化が有るか判断し（ＳＴ１５）、状態変化が有った場合（ＳＴ１５がＹＥＳ）、プリンタ装置１の状態をパーソナルコンピュータ（ＰＣ２）に通知し、前述のパーソナルコンピュータ（ＰＣ２）側の処理に従って、必要な動画データが送信される（ＳＴ５）。また、状態変化が無い場合でも（ＳＴ１５がＮＯ）、パーソナルコンピュータ（ＰＣ２）より問い合わせが有ると（ＳＴ１６がＹＥＳ）、プリンタ装置１の状態をパーソナルコンピュータ（ＰＣ２）に通知し、前述のパーソナルコンピュータ（ＰＣ２）側の処理に従って、必要な動画データが送信される（ＳＴ５）。
【００４３】
この動画データは前述と同様、図８及び図９に示す表示がプリンタ装置１の表示部に行われ、ユーザはビジュアルに表示される操作を見ながらメンテナンスや消耗品の交換作業を容易に行うことができる。
【００４４】
以上のように処理することによって、例えば用紙詰まりや、ＴＣ（トナーカートリッジ）の交換、用紙補給等の際、プリンタ装置１の表示部に対応するメンテナンス操作、又は消耗品交換操作の方法が表示されるので、例えばマニュアルを参照することなく、容易にメンテナンス作業を行うことができる。
【００４５】
また、パーソナルコンピュータ（ＰＣ）側に動画データを記憶させておき、必要に応じてプリンタ装置１に読み出して使用するため、大容量のメモリをプリンタ装置１側に設ける必要がない。
【００４６】
また、上記実施形態の説明では、パーソナルコンピュータ（ＰＣ）に動画データを記憶したが、ネットワーク上のプリンタサーバに動画データを記憶しておき、このプリンタサーバから動画データを配信するように構成してもよい。このように構成することにより、各パーソナルコンピュータ（ＰＣ）が動画データを記憶する場合に比べて、システム全体のメモリ容量を削減でき、プリンタ装置１に効率よく動画データを配信することができる。
【００４７】
さらに、動画データの表示は、プリンタ装置１の操作パネル４に行ったが、操作パネル４に動画データを表示すると共に、パーソナルコンピュータ（ＰＣ）側のディスプレイ（図５のｂ部）に同じ動画データを表示するように構成してもよい。このように構成することにより、例えばユーザが予め最初の操作をディスプレイ上の動画で確認した後、プリンタ装置１に出向き、より効率よく消耗品の交換処理を行うことができる。
【図面の簡単な説明】
【００４８】
【図１】プリンタ装置の内部構成を示す図である。
【図２】本例に使用する印刷装置をネットワークを介してホスト機器であるパーソナルコンピュータ（ＰＣ）に接続したシステム構成図である。
【図３】プリンタ装置内のＩ／Ｆコントローラの具体的な構成を説明する図である。
【図４】本例の処理動作を説明するフローチャートであり、パーソナルコンピュータ（ＰＣ）側のモニタプログラムの処理を説明する図である。
【図５】パーソナルコンピュータ（ＰＣ）のモニタ画面の表示状態を示す図である。
【図６】プリンタ装置１側の処理を説明するフローチャートである。
【図７】動画データの表示処理を説明するフローチャートである。
【図８】（ａ）〜（ｄ）は、プリンタ装置の正面扉を開ける様子を動画表示する図である。
【図９】（ａ）〜（ｅ）は、ＴＣの交換処理の様子を動画表示する図である。
【符号の説明】
【００４９】
１・・・プリンタ装置
２・・・Ｉ／Ｆコントローラ
３・・・エンジン部
４・・・操作パネル
５・・・動画データ記憶部
６・・・エンジンコントローラ
７・・・ヘッドコントローラ
８・・・モータ
９・・・高圧ユニット
１０・・フロントドアセンサ
１１・・ライトドアセンサ
１２・・トナー有無センサ
１３・・ＴＣ（トナーセット）有無センサ
１４・・カセット紙有無センサ
１６・・ＬＥＤヘッド
２０・・ＣＰＵ
２１・・ＳＤＲＡＭ
２２・・フラッシュメモリ
２３・・ハードディスク（ＨＤ）
２４・・ＡＳＩＣ
【図１】
2009096069.tif 000003
【図２】
2009096069.tif 000004
【図３】
2009096069.tif 000005
【図４】
2009096069.tif 000006
【図６】
2009096069.tif 000007
【図７】
2009096069.tif 000008
【図５】
2009096069.tif 000009
【図８】
2009096069.tif 000010
【図９】
2009096069.tif 000011